【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
ビデオ情報をコーディングするように構成された装置であって、前記装置は、
第１のレイヤまたは第２のレイヤのうちの少なくとも１つに関連付けられたビデオ情報を記憶するように構成されたメモリユニットと、前記第１のレイヤは、第１のレイヤピクチャを備え、前記第２のレイヤは、第２のレイヤピクチャを備える、
前記メモリユニットと通信しているプロセッサとを備え、前記プロセッサは、
前記第１のレイヤの前記第１のレイヤピクチャのうちの１つまたは複数を復号し、
前記１つまたは複数の復号された第１のレイヤピクチャを復号ピクチャバッファに記憶し、
対応する第１のレイヤピクチャを有しない前記第２のレイヤピクチャのうちの少なくとも１つがコーディングされるべきであると決定し、
復号順序で前記第２のレイヤピクチャのうちの前記少なくとも１つに続く第１のレイヤピクチャをコーディングするために使用されるべき前記復号ピクチャバッファに記憶されている前記１つまたは複数の復号された第１のレイヤピクチャから少なくとも１つの第１のレイヤピクチャを選択し、
前記選択された少なくとも１つの第１のレイヤピクチャは前記復号ピクチャバッファに保持されるべきであるという指示を処理し、
前記復号ピクチャバッファから前記選択された少なくとも１つの第１のレイヤピクチャ以外の前記１つまたは複数の復号された第１のレイヤピクチャを除去する
ように構成される、装置。
【請求項２】
前記プロセッサは、
前記選択された少なくとも１つの第１のレイヤピクチャが前記復号ピクチャバッファに保持されるべきであることを示すフラグまたはシンタックス要素をシグナリングまたは受信し、
前記復号ピクチャバッファに保持されるべきと示されていない前記１つまたは複数の復号された第１のレイヤピクチャの各々を、前記復号ピクチャバッファから除去する
ように構成される、請求項１に記載の装置。
【請求項３】
前記フラグまたはシンタックス要素は、前記第２のレイヤピクチャのうちの１つのスライスヘッダに含まれる、請求項２に記載の装置。
【請求項４】
前記プロセッサは、前記選択された少なくとも１つの第１のレイヤピクチャ以外の前記復号ピクチャバッファの中のすべての復号された第１のレイヤピクチャが前記復号ピクチャバッファから除去されるべきであることを示すことによって、前記１つまたは複数の復号された第１のレイヤピクチャを除去するように構成される、請求項１に記載の装置。
【請求項５】
前記プロセッサは、
１つを除くすべての第１のレイヤピクチャを前記復号ピクチャバッファから除去し、
対応する第２のレイヤピクチャを有しない前記第１のレイヤピクチャがコーディングされるべきであると決定し、
新しい第１のレイヤピクチャを、前記復号ピクチャバッファの中に残っている前記第１のレイヤピクチャを使用してコーディングする
ようにさらに構成される、請求項１に記載の装置。
【請求項６】
前記プロセッサは、
前記第１のレイヤピクチャの各時間ＩＤに対して、１つを除くすべての第１のレイヤピクチャを前記復号ピクチャバッファから除去し、
対応する第２のレイヤピクチャを有しない前記第１のレイヤピクチャがコーディングされるべきであると決定し、
新しい第１のレイヤピクチャを、前記新しい第１のレイヤピクチャと同じ時間ＩＤを有する、前記復号ピクチャバッファの中に残っている前記第１のレイヤピクチャを使用してコーディングする
ようにさらに構成される、請求項１に記載の装置。
【請求項７】
前記プロセッサは、
表示順序において直近にコーディングされた第１のレイヤピクチャに直ちに続くダミーピクチャを処理し、
前記ダミーピクチャを使用して、前記選択された少なくとも１つの第１のレイヤピクチャが前記ダミーピクチャの前記使用を伴わずに除去されることになった時間期間よりも前に、前記選択された少なくとも１つの第１のレイヤピクチャを除去させる
ようにさらに構成される、請求項１に記載の装置。
【請求項８】
ビデオ情報をコーディングする方法であって、前記方法は、
第１のレイヤまたは第２のレイヤのうちの少なくとも１つに関連付けられたビデオ情報を記憶することと、前記第１のレイヤは、第１のレイヤピクチャを備え、前記第２のレイヤは、第２のレイヤピクチャを備える、
前記第１のレイヤの前記第１のレイヤピクチャのうちの１つまたは複数を復号することと、
前記１つまたは複数の復号された第１のレイヤピクチャを復号ピクチャバッファに記憶することと、
対応する第１のレイヤピクチャを有しない前記第２のレイヤピクチャのうちの少なくとも１つがコーディングされるべきであると決定することと、
復号順序で前記第２のレイヤピクチャのうちの前記少なくとも１つに続く第１のレイヤピクチャをコーディングするために使用されるべき前記復号ピクチャバッファに記憶されている前記１つまたは複数の復号された第１のレイヤピクチャから少なくとも１つの第１のレイヤピクチャを選択することと、
前記選択された少なくとも１つの第１のレイヤピクチャは前記復号ピクチャバッファに保持されるべきであるという指示を処理することと、
前記復号ピクチャバッファから前記選択された少なくとも１つの第１のレイヤピクチャ以外の前記１つまたは複数の復号された第１のレイヤピクチャを除去することと
を備える方法。
【請求項９】
前記選択された少なくとも１つの第１のレイヤピクチャが前記復号ピクチャバッファに保持されるべきであることを示すフラグまたはシンタックス要素をシグナリングまたは受信することと、
前記復号ピクチャバッファに保持されるべきと示されていない前記１つまたは複数の復号された第１のレイヤピクチャの各々を、前記復号ピクチャバッファから除去することと
をさらに備える、請求項８に記載の方法。
【請求項１０】
対応する第１のレイヤピクチャを有しない前記第２のレイヤピクチャのうちの前記少なくとも１つは、単一のピクチャを含むアクセスユニットの部分である、請求項８に記載の方法。
【請求項１１】
前記第１のレイヤピクチャは第１の解像度を有し、前記第２のレイヤピクチャは前記第１の解像度よりも高い第２の解像度を有する、請求項８に記載の方法。
【請求項１２】
１つを除くすべての第１のレイヤピクチャを前記復号ピクチャバッファから除去することと、
対応する第２のレイヤピクチャを有しない前記第１のレイヤピクチャがコーディングされるべきであると決定することと、
新しい第１のレイヤピクチャを、前記復号ピクチャバッファの中に残っている前記第１のレイヤピクチャを使用してコーディングすることと
をさらに備える請求項８に記載の方法。
【請求項１３】
前記第１のレイヤピクチャの各時間ＩＤに対して、１つを除くすべての第１のレイヤピクチャを前記復号ピクチャバッファから除去することと、
対応する第２のレイヤピクチャを有しない前記第１のレイヤピクチャがコーディングされるべきであると決定することと、
新しい第１のレイヤピクチャを、前記新しい第１のレイヤピクチャと同じ時間ＩＤを有する、前記復号ピクチャバッファの中に残っている前記第１のレイヤピクチャを使用してコーディングすることと
をさらに備える請求項８に記載の方法。
【請求項１４】
表示順序において直近にコーディングされた第１のレイヤピクチャに直ちに続くダミーピクチャを処理することと、
前記ダミーピクチャを使用して、前記少なくとも１つの第１のレイヤピクチャが前記ダミーピクチャの前記使用を伴わずに除去されることになった時間期間よりも前に、前記選択された少なくとも１つの第１のレイヤピクチャを除去させることと
をさらに備える請求項８に記載の方法。
【請求項１５】
実行されると、装置に、
請求項８から１４のいずれか一項に記載の方法に従ってプロセスを実行させるコードを備える非一時的コンピュータ可読媒体。